(57)【要約】【課題】ビスの緩め過ぎによる脱落を防止するとともに、取付板の取付の作業性を向上する。【解決手段】頭部１４ａを有するビス１４をばね座金１２、ビス１４の頭部１４ａ側に湾曲した平座金１６及び被取付板１５のだるま孔１５ａの円形孔部１５ｂに挿通して取付板１０の雌ねじ部１０ａに螺合し、被取付板１５のだるま孔１５ａの長孔部１５ｃを平座金１６と取付板１０との間に挿入してビス１４を締め付け、被取付板１５を取付板１０に着脱自在に固定する。【選択図】図１
2006112468.tif 000002
【特許請求の範囲】
【請求項１】
頭部を有し、ばね座金及び平座金を挿通したビスを取付板の雌ねじ部に螺合し、凹部又はだるま孔を有する被取付板の凹部又はだるま孔の長孔部を平座金と取付板との間に挿入してビスを締結することにより被取付板を取付板に着脱自在に固定するようにした取付構造において、平座金をビスの頭部側に湾曲させるようにしたことを特徴とする取付構造。
【請求項２】
平座金は、曲面状又は中心から径の約９０％を平板状としたことを特徴とする請求項１記載の取付構造。
【請求項３】
頭部を有し、平座金を挿通したビスを取付板の雌ねじ部に螺合し、凹部又はだるま孔を有する被取付板の凹部又はだるま孔の長孔部を平座金と取付板との間に挿入してビスを締結することにより被取付板を取付板に着脱自在に固定するようにした取付構造において、平座金をビスの頭部側に湾曲させるとともに、その中心からの平板状部分の径をビスの頭部の径より小さくしたことを特徴とする取付構造。
【発明の詳細な説明】
【技術分野】
【０００１】
この発明は、製品側の被取付板を取付板に固定する際の取付構造に関するものである。
【背景技術】
【０００２】
図３は特許文献１に示された回転ロック付締結具の側面図を示し、１はボルトであり、その頭部の下面にはばね座金２の端面と係合する係合部１ａが設けられる。３は平座金であり、その一面にはばね座金２の端面と係合する係合部３ａが設けられ、平座金３の他面には締結対象物のボルト挿通孔に挿入される係合部３ｂが設けられている。このようにボルト１とばね座金２と平座金３とを相互に係合させることにより、ボルト１が外力で緩むのを防止し、また平座金３の他面に係合部３ｂを設けたことにより平座金３と締結対象物との間に緩みが生じるのを防止している。
【０００３】
図４は特許文献２に示されたねじ締結構造の断面図であり、４は鍔付ボルトであり、その頭部４ａの座面４ｂ側に鍔部４ｃを一体的に設けられており、鍔部４ｃの一方の面は座面４ｂの一部を形成している。ボルト４の軸部４ｄは、被締め付け部材５，６にそれぞれ設けられたボルト挿通孔５ａ，６ａに挿通されている。ボルト４の頭部４ａと被締め付け部材５との間には、皿ばね座金７及び平座金８がそれぞれ軸部４ｄに貫通された状態で設けられている。皿ばね座金７は、その内周部、外周部にそれぞれ環状かつ平面状の内周側平面部７ａ及び外周側平面部７ｂを一体的に形成している。ボルト４の軸部４ｄの先端側にはナット９が螺合されており、ナット９とボルト４の座面４ｂとの間には被締め付け部材５，６が皿ばね座金７及び平座金８と共に締め付けられる。皿ばね座金７はボルト４の締め付け軸力が所定の適正値になったときに平らになるばね特性を有し、ボルト４は皿ばね座金７より硬度を低くして靭性を確保している。そして、皿ばね座金７が平らになるまでボルト４等を締め付ければ、適正締め付け軸力で締め付けが行なわれたことになる。又、座面陥没等が生じても皿ばね座金７のばね性により締め付け軸力の低下が抑えられる。さらに、締め付けが緩むと、皿ばね座金７が変形するので、容易に発見することができる。
【０００４】
図5（ａ），（ｂ）は従来の他の取付構造における製品側の被取付板の側面図及取付構造の正面図を示し、１０は雌ねじ部１０ａを有する取付板、１１は凹部１１ａを有する製品側の被取付板であり、この凹部１１ａにおいてばね座金１２及び平座金１３に挿通したビス１４を取付板１０の雌ねじ部１０ａに螺合する。ビス１４は頭部１４ａを有する。そして、凹部１１ａを平座金１３と取付板１０との間に挿入してビス１４を雌ねじ部１０ａに締結することにより、被取付板１１を取付板１０に着脱自在に固定する。
【０００５】
図６（ａ），（ｂ）は従来のさらに他の取付構造の側面図及び正面図を示し、１５はだるま孔１５ａを有する製品側の被取付板であり、このだるま孔１５ａのビス１４の頭部１４ａより大径の円形孔部１５ｂにおいてばね座金１２及び平座金１３に挿通したビス１４を取付板１０の雌ねじ部１０ａに螺合する。そして、だるま孔１５ａの長孔部１５ｃを平座金１３と取付板１０との間に挿入してビス１４を雌ねじ部１０ａに締結することにより、被取付板１５を取付板１０に着脱自在に固定する。
【０００６】
図５及び図６に示した取付構造においては、メンテナンス性を考慮して、ビス１４を多少緩めれば、被取付板１１，１５をスライドさせることにより、被取付板１１，１５を着脱することができる。
【特許文献１】特開平６−２４９２２０号公報
【特許文献２】特開２００１−１８７９１１号公報
【発明の開示】
【発明が解決しようとする課題】
【０００７】
図５に示した従来の取付構造においては、被取付板１１の取付板１０へのビス１４による取付において、平座金１３と取付板１０との間に被取付板１１の凹部１１ａを挿入する際に、平座金１３がばね座金１２の押圧により斜めになっていることもあって、ある程度ビス１４を緩めておかないと、被取付板１１の凹部１１ａの周縁部が平座金１３と当接し、凹部１１ａの挿入が困難になることがあった。又、図６に示した従来の取付構造においても、同様に被取付板１５のだるま孔１５ａの長孔部１５ｃの周縁部が平座金１３と当接し、長孔部１５ｃの挿入が困難になることがあった。このため、ビス１４を余計に緩めておく必要があり、緩め過ぎてビス１４が脱落することもあり、取付の作業性が低下した。
【０００８】
この発明は上記のような課題を解決するために成されたものであり、ビスの緩め過ぎによる脱落を防止するとともに、取付の作業性を向上することができる取付構造を得ることを目的とする。
【課題を解決するための手段】
【０００９】
この発明の請求項１に係る取付構造は、頭部を有し、ばね座金及び平座金を挿通したビスを取付板の雌ねじ部に螺合し、凹部又はだるま孔を有する被取付板の凹部又はだるま孔の長孔部を平座金と取付板との間に挿入してビスを締結することにより被取付板を取付板に着脱自在に固定するようにした取付構造において、平座金をビスの頭部側に湾曲させるようにしたものである。
【００１０】
請求項２に係る取付構造は、平座金が、曲面状又は中心から径の約９０％を平板状としたものである。
【００１１】
請求項３に係る取付構造は、頭部を有し、平座金を挿通したビスを取付板の雌ねじ部に螺合し、凹部又はだるま孔を有する被取付板の凹部又はだるま孔の長孔部を平座金と取付板との間に挿入してビスを締結することにより被取付板を取付板に着脱自在に固定するようにした取付構造において、平座金をビスの頭部側に湾曲させるとともに、その中心からの平板状部分の径をビスの頭部の径より小さくしたものである。
【発明の効果】
【００１２】
以上のようにこの発明の請求項１によれば、平座金をビスの頭部側に湾曲させており、被取付板の凹部又はだるま孔の長孔部を平座金と取付板との間に挿入する際に、被取付板の凹部の周縁部又はだるま孔の長孔部の周縁部と平座金とが当接し難くなり、凹部又はだるま孔の長孔部の平座金と取付板との間への挿入が容易となり、ビスを被取付板の板厚程度緩んだ状態にすればよく、ビスを余計に緩める必要がなくなる。このため、ビスの緩め過ぎによるビスの脱落を防止することができ、被取付板の取付作業の作業性を向上することができる。
【００１３】
請求項２によれば、平座金を曲面状又は中心から径の約９０％を平板状としており、請求項１と同様な効果を奏する。
【００１４】
請求項３によれば、平座金をビスの頭部側に湾曲させており、請求項１の効果と同様の効果を有するとともに、その中心からの平板状部分の径をビスの頭部の径より小さくしており、ビスを締結した際に平座金がばね作用を有するので、ばね座金を不要とすることができる。
【発明を実施するための最良の形態】
【００１５】
実施最良形態１
以下、この発明を実施するための最良の形態を図面とともに説明する。図１（ａ），（ｂ）はこの発明の実施最良形態１による取付構造の正面図及び各取付部材の正面図を示し、ビス１４は直径Ｌ1の頭部１４ａを有し、被取付板１５のだるま孔１５ａの円形孔部１５ｂにおいてばね座金１２及び平座金１６を挿通して取付板１０の雌ねじ部１０ａに螺合される。平座金１６はビス１４の頭部１４ａ側に湾曲しており、この湾曲は単に曲面状に形成しても良いし、あるいは図１（ｂ）に示すように中心からの直径の約９０％の径Ｌ2の部分を平板状としても良い。そして、被取付板１５のだるま孔１５ａの長孔部１５ｃを平座金１６と取付板１５との間に挿入してビス１４を締結することにより、被取付板１５を取付板１０に着脱自在に固定する。
【００１６】
上記構成において、被取付板１５のだるま孔１５ａの長孔部１５ｃを平座金１６と取付板１０との間に挿入する際に平座金１６がビス１４の頭部１４ａ側に湾曲しているので、長孔部１５ｃの周縁部が平座金１６と当接せず、長孔部１５ｃの挿入が容易となる。このため、ビス１４は被取付板１５の板厚程度緩んだ状態であれば良い。
【００１７】
実施最良形態１においては、被取付板１５のだるま孔１５ａの長孔部１５ｃの挿入の際に、ビス１４は被取付板１５の板厚程度緩んだ状態であれば良いので、ビス１４を余分に緩める必要がなく、ビス１４の脱落は生じない。又、これによって、被取付板１５の取付作業の作業性を向上することができる。
【００１８】
実施最良形態２
図２はこの発明の実施最良形態２による取付構造における各取付部材の正面図を示し、平座金１７はビス１４の頭部１４ａ側に湾曲させるとともに、その中心からの平板状部分の径Ｌ3をビス１４の頭部１４ａの径Ｌ1より小さくしたものであり、その他の構成は実施最良形態１と同様である。
【００１９】
実施最良形態２においても、平座金１７をビス１４の頭部１４ａ側に湾曲させており、請求項１と同様の効果を奏することができ、また平座金１７の中心からの平板状部分の径Ｌ3をビス１４の頭部１４ａの径Ｌ1より小さくしており、ビス１４を雌ねじ部１０ａに締結した際に、平座金１７の平板状部分の外側の傾斜部分は締結の際に平板状に変形し、ばね作用を有する。従って、実施最良形態２においては、ばね座金１２を不要とすることができる。
【００２０】
なお、上記各実施最良形態においては、被取付板として、だるま孔１５ａを有する被取付板１５を用いたが、凹部１１ａを有する被取付板１１を用いても良い。
【図面の簡単な説明】
【００２１】
【図１】この発明の実施最良形態１による取付構造の正面図及び各取付け部材の正面図である。
【図２】実施最良形態２による取付構造における各取付部材の正面図である。
【図３】特許文献１に示された従来の回転ロック付締結具の側面図である。
【図４】特許文献２に示された従来のねじ締結構造の断面図である。
【図５】従来の他の取付構造における製品側の被取付板の側面図及び取付構造の正面図である。
【図６】従来のさらに他の取付構造の側面図及び正面図である。
【符号の説明】
【００２２】
１０…取付板
１０ａ…雌ねじ部
１１，１５…被取付板
１１ａ…凹部
１２…ばね座金
１４…ビス
１４ａ…頭部
１５ａ…だるま孔
１５ｂ…円形孔部
１５ｃ…長孔部
１６，１７…平座金
【図１】
2006112468.tif 000003
【図２】
2006112468.tif 000004
【図３】
2006112468.tif 000005
【図４】
2006112468.tif 000006
【図５】
2006112468.tif 000007
【図６】
2006112468.tif 000008